(57)【要約】【課題】  空調ダクト等建物の空気通路内に備えられ、建築物内の空間に芳香剤の芳香成分を拡散することが可能な放香用機器（放香アタッチメント）に関する。【解決手段】  送風部から送り出された気流に芳香成分を添加する放香アタッチメントであって、前記放香アタッチメントは、前記気流を案内する空気通路に配置され、前記気流を通風孔に通過させて前記気流に変化を生じさせる面状体と、前記面状体に担持され、前記気流の変化を受けて芳香成分を揮散する揮発性芳香剤と、を有し、前記面状体は、枠体に支持されて、前記空気通路に着脱可能である放香アタッチメント。【選択図】図１
2019211189.tif 000002
【特許請求の範囲】
【請求項１】
送風部から送り出された気流に芳香成分を添加する放香アタッチメントであって、
前記放香アタッチメントは、前記気流を案内する空気通路に配置され、前記気流を通風孔に通過させて前記気流に変化を生じさせる面状体と、
前記面状体に担持され、前記気流の変化を受けて芳香成分を揮散する揮発性芳香剤と、を有することを特徴とする放香アタッチメント。
【請求項２】
前記面状体は、枠体に支持されて、前記空気通路に着脱可能であることを特徴とする請求項１に記載の放香アタッチメント。
【請求項３】
前記揮発性芳香剤は、前記面状体の多孔質体に浸透されて担持されていることを特徴とする請求項１に記載の放香アタッチメント。
【請求項４】
前記枠体は、前記揮発性芳香剤を供給する供給部と、前記揮発性芳香剤を捕集する受部とを有し、
前記揮発性芳香剤は、前記供給部から滴下により前記面状体に浸透され、前記面状体から滴下して前記受部に捕集されるものであることを特徴とする請求項３に記載の放香アタッチメント。
【請求項５】
前記揮発性芳香剤は、前記面状体に直付けされて前記面状体に担持された固形剤であることを特徴とする請求項１に記載の放香アタッチメント。
【請求項６】
前記面状体は、前記空気通路内の気流を清浄するフィルター又は異物を防ぐ網の下流側に配置されていることを特徴とする請求項１に記載の放香アタッチメント。
【発明の詳細な説明】
【技術分野】
【０００１】
本発明は、空調ダクト等建物の空気通路内に備えられ、建築物内の空間に芳香剤の芳香成分を拡散することが可能な放香用機器（放香アタッチメント）に関する。
【背景技術】
【０００２】
ホテルのロビー、空港のラウンジ、店舗内、企業の受付やミーティングルーム等、部屋全体や広い空間で香りを演出する要望が高まっている。狭い空間等や個人的に香り（アロマ）を楽しむ場合等は、小型のアロマディフューザが用いられるが、これらの広い空間に芳香するためには、大がかりな機器、装置が必要となる。
【先行技術文献】
【特許文献】
【０００３】
【特許文献１】実開平７−１８１３１
【特許文献２】特開２００１−２１３１５７
【発明の概要】
【発明が解決しようとする課題】
【０００４】
特許文献１には、香りを含む空気を所望の対象領域に供給する考案が開示されている。香りを発生したい場合には、制御器１１から制御信号を二方弁９および空気ポンプ３に送り、二方弁９を開放するとともに空気ポンプ３を運転し、空気を蒸発容器２内に送り込む。送り込まれた空気により香料が気化し、気化した香料は空気とともに、搬送管７を介してノズル１０からダクト８内に供給される。そして、ダクト８から、香りを含む空気を所望の対象領域に供給する。
【０００５】
特許文献２には、送風部からの気流をフィルター２０に通過させ、その通過した気流で揮散性芳香剤を揮散する構成が開示されている。フィルター２０は、塵や埃を除去するフィルター本体２１と、芳香機能、消臭機能、脱臭機能、殺菌機能、マイナスイオン発生機能の少なくとも１つの機能を付与した機能材２２と、フィルター本体２１と機能材２２とを収容する枠体２３とから構成されている。
【０００６】
しかし、特許文献１の発明では、ダクト内に香料を直接放香することにより、霧状の油分を気流に添加するものであるから、香料に混合する油分がダクト内に付着して、ダクトの内壁を汚染する恐れがある。さらには、内壁に付着した油分に埃、塵、カビ等が付着することで、油が酸化、腐敗して異臭の基になったり、油分が乾燥して粉塵となり、その粉塵が空調ダクト内の空気を汚染させてしまうという課題があった。
【０００７】
また、制御器、空気ポンプを有することにより、これらの機器や機器の使用する電源を別途設ける必要がある等の設置の問題や、匂いを他の香料に変更する場合には、香料を交換する都度、放香器や香料蒸発容器、搬送管、ノズル及びダクト内を清掃し、残っている前の香料を完全に除去して、前の香りと新しい香りが混ざって別の香りになってしまうことを防ぐ措置等が必要だった。また、放香器や香料蒸発容器に香料を長時間入れたままにしておくと、空気に触れた香料が酸化・劣化し、香りが変化してしまうという大きなリスクがあった。
【０００８】
また、特許文献２の発明では、確かに、フィルターを通過する空気に対して芳香を付与したり揮散性芳香剤を揮散させることは可能であるが、揮散性芳香剤の揮散量には限界があり、揮散性芳香剤から揮散する芳香成分の濃度を向上させることが要求されていた。
【０００９】
そこで、本発明は、空気通路（エアダクト）の気流を清浄するフィルターとは別体で、揮発性芳香剤を含む面状体の放香アタッチメントを設け、前記放香アタッチメントは揮発性芳香剤に含まれる油分を多孔質体に残して放香成分を揮発して気流に含ませることで、空気通路（エアダクト）を油滴で汚すことなく、濃厚な放香成分を放香させることを特徴とするものである。
【課題を解決するための手段】
【００１０】
本発明に係る放香アタッチメントは、送風部から送り出された気流に芳香成分を添加する放香アタッチメントであって、前記放香アタッチメントは、前記気流を案内する空気通路に配置され、前記気流を通風孔に通過させて前記気流に変化を生じさせる面状体と、前記面状体に担持され、前記気流の変化を受けて芳香成分を揮散する揮発性芳香剤と、を有することを特徴とする。
【００１１】
本発明に係る放香アタッチメントの前記面状体は、枠体に支持されて、前記空気通路に着脱可能であることを特徴とする。
【００１２】
本発明に係る放香アタッチメントの前記揮発性芳香剤は、前記面状体の多孔質体に浸透されて担持されていることを特徴とする。
【００１３】
本発明に係る放香アタッチメントの前記枠体は、前記揮発性芳香剤を供給する供給部と、前記揮発性芳香剤を捕集する受部とを有し、前記揮発性芳香剤は、前記供給部から滴下により前記面状体に浸透され、前記面状体から滴下して前記受部に捕集されるものであることを特徴とする。
【００１４】
前記揮発性芳香剤は、前記供給部から滴下により前記面状体に浸透され、前記面状体から滴下して前記受部に捕集されるものであることを特徴とする。
【００１５】
本発明に係る放香アタッチメントの前記揮発性芳香剤は、前記面状体に直付けされて前記面状体に担持された固形剤であることを特徴とする。
【００１６】
本発明に係る放香アタッチメントの前記面状体は、前記空気通路内の気流を清浄するフィルター又は異物を防ぐ網の下流側に配置されていることを特徴とする。
【発明の効果】
【００１７】
本発明によれば、放香アタッチメントは、気流を案内する空気通路に配置され、気流を面状体に設けられた通風孔に通過させて変化を生じさせ、通常より気流が複雑に流れることにより、面状体に担持された揮発性芳香剤の揮散した芳香成分と、気流とを、より接触させることができることにより、より多くの芳香成分を気流に含ませ、芳香成分の濃度を向上させることができる。
【００１８】
面状体は、枠体に支持されて、空気通路に着脱可能であることにより、面状体の設置が容易であり、及び、面状体が汚れたり破損した場合は、交換が容易である。
【００１９】
揮発性芳香剤は、面状体を構成する多孔質体に浸透されて担持されており、多孔質体の内部を気流が複雑に通過することにより、多孔質体に浸透された揮発性芳香剤との接触頻度を増やし、芳香成分の濃度を向上させて気流に含ませることができる。また、揮発性芳香剤に含まれる芳香成分のみを気流に含ませ、油分を多孔質体に残したままにできるので、空気通路の内部を油滴で汚すことを防ぐことができる。
【００２０】
枠体は、揮発性芳香剤を供給する供給部と、揮発性芳香剤を捕集する受部とを有することにより、液体の揮発性芳香剤は、供給部から滴下により面状体に浸透することができ、面状体が揮発性芳香剤を担持できる限界を超えて供給部から揮発性芳香剤が供給された場合は、受部に捕集することができる。
【００２１】
新鮮な揮発性芳香剤を供給部から面状体に滴下することで、芳香剤の経時劣化による香りが変わってしまうことを防止し、均一の香りを保つことができる。また、滴下量を調整することで、気流に含ませる芳香成分の量を調整することができる。
【００２２】
また、揮発性芳香剤を他の香りに交換する場合は、枠体及び面状体を交換することにより、容易に対応することができる。
【００２３】
また、受部に捕集された揮発性芳香剤は、面状体が乾くことで面状体に吸い上げられて再度浸透されることになるので、揮発性芳香剤を無駄なく効率よく消費することができる。
【００２４】
また、液体の揮発性芳香剤に代えて、ジェルシート等の固形の揮発性芳香剤を面状体に直付けすることができ、この場合、供給部及び受部の構成が不要となるので、放香アタッチメントの構造及び、空気通路への設置をさらに容易にすることができる。
【００２５】
また、面状体を、空気通路内の気流を清浄するフィルターの下流側に配置することにより、清浄な気流に芳香成分を含み、香りを一層引き立たせることができる。
【図面の簡単な説明】
【００２６】
【図１】本発明の放香アタッチメントの全体構成を示す図である。
【図２】本発明に係る放香アタッチメントの、枠体と面状体の設置を示す図である。
【図３】空気通路に放香アタッチメントを設置する状態を示す図である。
【図４】図４（Ａ）及び（Ｂ）は、供給部と供給孔の実施例を示す図、図４（Ｃ）は香料を収納する香料収納容体と送出する香料供給管を有する実施例を示す図である。
【図５】面状体の通風孔の例を示す図である。
【図６】図２に示す、本発明の放香アタッチメントのＡ−Ａの断面図であり、面状体の液体香料の滴下の状態を示す図である。
【図７】図２に示す、本発明の放香アタッチメントのＡ−Ａの断面図であり、面状体と気流の流れの状態を示す図である。
【図８】図２に示す、本発明の放香アタッチメントのＡ−Ａの断面図であり、面状体の滴下状態と気流の流れの状態を示す図である。
【図９】面状体に固形香料を試用した場合の放香アタッチメントの全体構成を示す図である。
【図１０】図９に示す、本発明の放香アタッチメントのＢ−Ｂの断面図であり、面状体の固形香料と気流の流れの状態を示す図である。
【発明を実施するための形態】
【００２７】
［実施例１］
以下、図を参照して、本発明の放香アタッチメント１について説明する。
図１は、本発明の放香アタッチメントの全体構成を示す図、図２は、本発明に係る放香アタッチメントの、枠体と面状体の設置を示す図、図３は、空気通路に放香アタッチメントを設置する状態を示す図、図４は、供給部の形状と供給孔の形状の実施例を示す図、図５は、面状体２０の通風孔の例を示す図である。
【００２８】
本発明に係る放香アタッチメント１は、図３に示すように、空気通路４０内に設置される。放香アタッチメント１は、面状体２０を有し、面状体２０を空気通路４０に設置するために、枠体１０が用いられる。さらに、揮発性芳香剤である香料３０を、面状体２０に浸透させる。
【００２９】
図１及び図２に示すように、枠体１０は、上部に香料供給部１１、左右に側柱１３、１４及び下部には香料受部１５を有する方形の枠組みを成し、香料供給部１１、側柱１３、１４及び香料受部１５に囲まれた、面状体２０が設置される空間１６を構成している。枠体１０、香料供給部１１、香料受部１５、網状体１９は、化学成分を含む香料３０に接触するため、ステンレス材等の防錆、耐薬品性の材質が好適である。
【００３０】
揮発性芳香剤（香料３０）を供給する供給部としての香料供給部１１は、枠体１０の上部長手方向に設置され、断面が凹状をしており、凹状の内側には液体の香料３０を捕集することができる。また、香料供給部１１の長手方向下部には、香料受部１５方向に向かって香料供給部１１ａ、１１ｂが設けられており（図６に示す）、香料供給部１１ａ、１１ｂの中間に面状体２０を嵌め込んで固定する固定具の機能を有する。
また、香料供給部１１ａ、１１ｂを設けずに、面状体２０を取り付ける取り付け具（フック、粘着状のもの）を網状体１９に設け、面状体２０を網状体１９に固定するようにしても良い。
また、香料供給部１１の全体又は一部を覆う蓋１１ｃを設けて、埃、小動物（ねずみ等）、昆虫等の異物が香料供給部１１の中の香料３０に混入することを防止するようにしても良い。
【００３１】
また、図４（Ａ）に示すように、香料供給部１１の形状として、側面に傾斜を設け、香料３０を供給孔１２に流入し易い構造にしても良く、これらの構造に限るものではない。
【００３２】
供給孔１２は、香料供給部１１の底部に１以上設けられ、香料３０を供給孔１２を通して、面状体２０に滴下、浸透させる。香料３０の粘性や滴下量等によって、供給孔１２の設置個数や、穴の大きさを変えられる構造にしても良い。これにより、供給孔１２から滴下した香料３０は、面状体２０の上部から下部に浸透しながら滴下してゆく。
【００３３】
また、図４（Ｂ）に示すように、香料３０を面状体２０に着実に供給するように、供給孔１２の先端部を尖らせて面状体２０に接触させるような構造にしても良い。
【００３４】
また、図４（Ｃ）に示すように、香料３０を収納する１以上の香料収納容体３１と、香料３０を香料収納容体３１から送出する１以上の香料供給管３２と、を有する構造にしても良い。香料供給管３２の先端を面状体２０の上端部に接触させて、香料３０を香料収納容体３１から送出し香料供給管３２の先端から面状体２０に直接浸透させる。香料収納容体３１に密閉収納された香料３０は、外気による酸化作用等で変質することがなく、香料３０から拡散させる芳香成分の変化を防止して、芳香成分による効果を十分に発揮することができる。
【００３５】
また、図４（Ｃ）では、面状体２０の上端部より上部に香料収納容体３１を設置する例を示したが、面状体２０の上端部より下に香料収納容体３１を設置して、香料収納容体３１から香料３０をポンプ等で吸い上げて面状体２０に供給するようにしても良い。また、香料収納容体３１に対して複数本の香料供給管３２を設けても良く、１の面状体２０に対して複数の香料収納容体３１を設置しても良い。
【００３６】
また、異なる芳香成分を使用するために香料収納容体３１を交換する際や、香料収納容体３１内の香料３０が全て消費され空になった際等には、使用中の香料収納容体３１、香料供給管３２を別の香料３０が充填された香料収納容体３１に、容易に交換することができる。
また、香りの異なる芳香成分を収納する複数の香料収納容体３１を設け、異なる芳香成分が面状体２０内でブレンドと調香が行われるようにしても良い。
【００３７】
なお、香料３０の香料供給部１１への供給は、図４（Ａ）乃至（Ｃ）の他、時限開封（例えば、タイマーで蓋を空ける、時間で容器が溶けて香料が流出する、等）で注入する方法等を用いてもよい。
【００３８】
揮発性芳香剤（香料３０）を捕集する受部としての香料受部１５は、香料供給部１１ａ、１１ｂに向かって延伸する立設部１５ａ、１５ｂを有し、断面が凹状をしており、凹状の内側には液体の香料３０が捕集できるような構造になっている（図６に示す）。香料供給部１１の供給孔１２から滴下する香料３０が、面状体２０が香料３０を担持できる限界を超えて供給された場合は、香料受部１５で受け補集する。香料受部１５に捕集された香料３０は、面状体２０の上部方向に再び吸い上げられて浸透し、最終的には揮発する。又は、香料受部１５に直接新規の香料３０を投入し、香料受部１５から面状体２０に吸い上げられて浸透するようにしても良い。
【００３９】
また、立設部１５ａ、１５ｂは中間に面状体２０を嵌め込んで固定する固定具の機能を有する。
【００４０】
網状体１９は、面状体２０が組み込まれる空間１６を塞ぐように、枠体１０に設けられる、網目状の構造物である。網状体１９を面状体２０よりも気流の下流に設置することで、面状体２０が網状体１９に気流で押しつけられ、面状体２０が空間１６内で湾曲しないように補強する機能を有するほか、枠体１０自身が歪んで変形することや、面状体２０の脱落を防止する機能を有する。
【００４１】
また、網状体１９は、空気通路４０の気流が当たると、物理的には当該気流を妨げることとなるが、その網状体１９の網目で気流を拡散することによって、当該気流は揮発した芳香成分をより多く、気流に含むことが可能になる効果を有する。
網状体１９は、金網等の網目状、格子状等で、網目や格子の間隔は、空気通路４０内の気流を著しく妨げない構造であれば、特に形状は限定しない。
【００４２】
面状体２０は、多孔質体からなり、香料３０を浸透させることにより、香料３０の芳香成分を揮発させる機能を有している。この時、香料３０に含まれる油分は面状体２０に残留する。面状体２０は、図１、図２及び図５に示すように、表面から背面まで貫通する通風孔２１が１以上設けられている。
【００４３】
面状体２０を構成する多孔質体は、不繊布、フェルト等の液体状の香料３０が浸透し易い材質が好ましい。
又、気流が面状体２０の一面に当たると、多孔質体の隙間から気流が入り込み、面状体２０内部で気流の流れが複雑に変化して内部を通過し、他面へ抜ける。また、一面に当たり、面状体２０に遮られ、かつ多孔質体の隙間に入り込めなかった気流は、通風孔２１に収束して、通風孔２１を通過するように、気流の流れが変化する。そして、通風孔２１を通過して、面状体２０の反対側に抜け出る。
【００４４】
このとき、気流が多孔質体、通風孔２１を通過する際、又、面状体２０に当たった際に、面状体２０から揮発した香料３０の芳香成分を濃厚に含むことが可能となる。そして、芳香成分を含んだ気流は、噴出口４３から室内空間内に流れ、室内空間内に放香成分の匂いを提供することができる。
【００４５】
本発明では、面状体２０の大きさは、空気通路４０の断面形状に合わせ、横幅約６００ｍｍ、縦幅約２００ｍｍ、厚さ約２５ｍｍで、複数の通風孔２１を有しているものとして説明する。なお、面状体２０の形状やサイズは空気通路４０の断面形状に合わせた形状（方形、円形等）、大きさ、厚さ等で良く、また、通風孔２１の形状、大きさも、図５（Ａ）乃至（Ｃ）に示すように、任意の形状、大きさ、厚さで良く、空気通路４０の性能、必要な風力、等に合わせるようにするとよい。なお、面状体２０に不繊布を用いた場合は、不繊布は気流を通しやすいので、通風孔２１を小さくしたり、あるいは通風孔２１を敢えて設けなくてもよい。
【００４６】
なお、図５（Ａ）は、通風孔２１の形状は等間隔の円形の開口部を有することにより、均等に、収束した気流の流れが生じる。図５（Ｂ）は、通風孔２１の形状は縦方向に長い開口部を有することにより、縦方向に収束した気流の流れが生じる。また、図５（Ｃ）は、通風孔２１の形状は縦方向及び横方向交互に開口部を有することにより、縦横両方向に収束した気流の流れが生じることとなる。
【００４７】
また、上述のように、面状体２０は、香料供給部１１ａ、１１ｂ、及び立設部１５ａ、１５ｂの中間に面状体２０を嵌め込まれることで、枠体１０に支持されて、空気通路４０に着脱可能であり、交換等のメンテナンスを容易に行うことができる。
【００４８】
また、面状体２０が網状体１９に押しつけられるので、面状体２０が薄くてもたわむことを防ぐことができる。
【００４９】
また、網状体１９が存在することで、ダクト内に小動物（ねずみ等）、昆虫等が侵入しても、これらの小動物、昆虫等がダクト内を自由に動き回ることを防ぐことができる。
【００５０】
揮発性芳香剤である香料３０は匂いである芳香成分と油分とを含有した液体であり、香料３０は常温で揮散する。このとき、香料３０の油分は面状体２０に残り、芳香成分のみが空気通路内の気流の流れに乗り揮散することとなる。香料３０に含まれる芳香成分は、使用者の好む、任意の匂いでよい。
【００５１】
放香アタッチメント１は、図３に示すように、空気通路４０の送風部側から噴出口４３の間の任意に位置された、放香アタッチメント設置部４２に設置される。また、放香アタッチメント１は、空気を清浄する清浄フィルター４１、又は小動物、昆虫等の異物の移動を防ぐ網４１よりも下流に設置することで、清浄フィルター４１で浄化した空気に芳香成分を含ませることができ、また網４１でネズミ等の小動物によって面状体２０が囓られる等の損傷を受けることを防ぐことができるので、芳香成分の香りを一層引き立てることができる。
【００５２】
放香アタッチメント設置部４２は、設置部材４２ａ、４２ｂ、４２ｃ、及び４２ｄにより、放香アタッチメント１の外寸より少し大きな溝や、レールを設け、放香アタッチメント１をスライドして容易に設置する様にできればよい。また、放香アタッチメント設置部４２をダンパ（図示せず）に組み込むようにしても良い。このような嵌めこみ構造にすることで、放香アタッチメント１の交換を容易にすることができるようになる。
【００５３】
ここで、本発明の放香アタッチメント１の実施について説明する。
まず、香料３０の面状体２０への浸透について、図６を参照して説明する。図６は、図２に示す本発明の放香アタッチメントのＡ−Ａの断面図であり、面状体２０への香料３０の滴下の状態を示す図である。
【００５４】
香料供給部１１に投入された香料３０は、供給孔１２から重力によって面状体２０に滴下する。香料３０は、面状体２０を構成する多孔質体（不繊布等）の繊維の隙間に毛細管現象で吸い込まれ、面状体２０の上部から下部に向かって浸透して行く。やがて面状体２０全体が香料３０で浸透される。香料３０が面状体２０の表面部分を滴下したり、面状体２０が担持できる限界を超えた場合、浸透しきれなかった余剰な香料３０は、香料受部１５に捕集される。
【００５５】
面状体２０に浸透された香料３０は、それが揮発し面状体２０が乾燥すると、随時、毛細管現象で香料供給部１１から新しい香料３０が供給孔１２を通して供給される。
【００５６】
また、香料受部１５に捕集された香料３０は、面状体２０に浸透した香料３０が乾燥した場合には、面状体２０の下部から吸い上げられて再度浸透することになり、無駄なく香料３０を消費することができる。
【００５７】
このようにして、面状体２０は、常に新しい香料を上下方向から供給されるので、使い残した香料３０が経時変化による変異臭が生じ難い。
【００５８】
また、香料３０に含まれる油分は、芳香成分が揮発しても面状体２０に残るので、空気通路４０の内部を油滴で汚すことがなく、また油分に付着する埃、塵、カビ等が腐敗して異臭を放つことを防止することができる。
【００５９】
次に面状体２０と気流との干渉について、図７を参照して説明する。図７は、図２に示す、本発明の放香アタッチメントのＡ−Ａの断面図であり、面状体と気流の流れの状態を示す図である。
【００６０】
図７の送風部方向から流れてきた気流は、面状体２０に衝突・接触すると、通風孔２１を通過する気流の流れと、面状体２０の内部に入り込む流れとに分かれる。通風孔２１を通過する気流の流れは、通風孔２１へ突入する。空気通路４０と比較して通風孔２１の通風できる面積が減るため、通風孔２１を通過する際に気流は加速され、通風孔２１の内部を通過し、空気通路４０に抜け出る。
【００６１】
また、面状体２０の内部に入り込む気流の流れは、面状体２０を構成する多孔質体の繊維の隙間を流れる。気流は繊維の隙間に入り込み、繊維に衝突しつつ、複雑に変化し最後は面状体２０の網状体１９側から、空気通路４０に抜け出る。
そして、空気通路４０内で通風孔２１を通過した気流と、面状体２０の内部に入り込んだ気流とが合流する。なお、面状体２０の内部に入り込む気流の流れは極わずかであるが、その分、気流に含まれる芳香成分が濃厚になる。
【００６２】
次に、図８を参照して、気流が面状体２０から揮発した芳香成分を取り込む動きについて説明する。図８は、図２に示す本発明の放香アタッチメントのＡ−Ａの断面図であり、面状体の滴下状態と気流の流れの状態を示す図である。
図８に示すように、送風部方向から流れてきた気流は、面状体２０に衝突・接触すると、通風孔２１を通過する気流の流れと、面状体２０の内部に入り込む気流の流れとに分かれる。通風孔２１を通過する気流の流れは、面状体２０の表面付近を流れ、揮発した芳香成分を含みつつ、通風孔２１へ突入する。空気通路４０と比較して通風孔２１の通風できる面積が減るため、通風孔２１を通過する際に気流は加速され、また、通風孔２１内部で揮発した芳香成分を効果的に含み、芳香成分の濃度を増し、空気通路４０に抜け出る。
【００６３】
また、面状体２０の内部に入り込む気流の流れは、面状体２０を構成する多孔質体の繊維の隙間を流れる。ここで、繊維の隙間にも揮発した芳香成分が存在するので、気流は繊維の隙間で、複雑に変化し繊維に衝突しつつ、芳香成分の濃度を増して含むこととなる。そして、面状体２０の網状体１９側の面から、空気通路４０に抜け出る。
【００６４】
このように、通風孔２１を通過した芳香成分を含んだ気流と、面状体２０の内部を通過した芳香成分を含んだ気流とが、空気通路４０で合流することにより、濃厚に芳香成分を含んだ気流を噴出口４３から室内空間に提供することができる。
【００６５】
また、面状体２０の近傍又は面状体２０の内部で揮発した香料３０の芳香成分が、気流に含まれる。そして面状体２０で揮発した香料３０の補充として、新たな香料３０が香料供給部１１から滴下される。
この香料３０の揮発による消費と供給の動作を繰り返すことで、新鮮な香料３０を随時香料供給部１１から面状体２０に滴下し、芳香剤の経時劣化による香りが変わってしまうことを防止し、均一の香りを保つことができる。
【００６６】
［実施例２］
本発明に係る放香アタッチメントの実施例として、液体の香料３０に代えて、ジェルシート等の固形芳香体１３０を用いる例を、図９及び図１０を参照して説明する。
図９に示すように、放香アタッチメント１０１は、枠体１１０及び面状体１２０を有している。
【００６７】
枠体１１０は、上部に上枠１１１、左右に側柱１１３、１１４及び下部には下枠１１５を有する方形の枠組みを成し、上枠１１１、側柱１１３、１１４及び下枠１１５に囲まれた、面状体１２０が設置される空間１１６を構成している。枠体１１０は、ステンレス材等の防錆、耐薬品性の材質が好ましい。
【００６８】
上枠１１１は、枠体１１０の上部長手方向に設置され、上枠１１１の長手方向には、上枠１１１ａ、１１１ｂが設けられており、上枠１１１ａ、１１１ｂの中間に面状体１２０を嵌め込んで固定する固定具の機能を有する。
【００６９】
下枠１１５は、立設部１１５ａ、１１５ｂを有し、断面が凹状をしており、立設部１１５ａ、１１５ｂの中間に面状体１２０を嵌め込んで固定する固定具の機能を有する。
【００７０】
また、上枠１１１ａ、１１１ｂ及び立設部１１５ａ、１１５ｂを設けずに、面状体１２０を取り付ける取り付け具（フック、粘着状のもの）を網状体１１９に設け、面状体１２０を網状体１１９に固定するようにしても良い。
【００７１】
網状体１１９は、網状体１９と同一の構造であるので、詳細な説明を省略する。網状体１１９は、網目状、格子状等の空気通路４０内の気流を妨げない構造であれば、特に形状は限定しない。
【００７２】
面状体１２０は、多孔質体からなり、香料を予め浸透又は固めた固形芳香体１３０であって、芳香成分を揮発させる機能を有している。この時、固形芳香体１３０に含まれる油分は面状体１２０に残留する。面状体１２０は、通風孔１２１を有し、面状体２０、通風孔２１とそれぞれ同一の構造であるので、詳細な説明を省略する。
【００７３】
固形芳香体１３０は、ゲルシートもしくは面状体１２０にゲル化剤等を混ぜて香料を固形化したものであるため、油分や香料が滴下することはない。
また、固形であるので、持ち運び等の運搬やメンテナンスが容易である。
【００７４】
次に、面状体１２０に浸透した香料１３０と気流とによる、芳香成分の動きについて、図１０を参照して説明する。
【００７５】
図１０に示すように、送風部方向から流れてきた気流は、面状体１２０に衝突・接触すると、穴が開いている通風孔１２１に収斂して突入するため、速度が加速される。その結果、気流は面状体１２０の表面付近に揮散して漂っている芳香成分を吸い込むため、通風孔１２１を通過して再び空気通路４０に抜け出た気流の芳香成分の濃度は更に高まることになる。
【００７６】
なお、面状体１２０が香料をゲルシート状等にした固形のものであっても、気流はその固形香料の隙間に入り込んで芳香成分を拾うため、面状体を通過する気流に含まれる芳香成分が濃厚になる。
【００７７】
このように、通風孔１２１を通過した芳香成分を含んだ気流（及び面状体１２０の内部を通過した芳香成分を含んだ気流）は、濃厚に芳香成分を含んだ気流を噴出口４３から室内空間に提供することができる。
【００７８】
以上の様に、本発明によれば、放香アタッチメントは、気流を案内する空気通路に配置され、気流を面状体に設けられた通風孔に通過させて変化を生じさせ、通常より気流が複雑に流れることにより、面状体に担持された揮発性芳香剤の揮散した芳香成分と、気流とをより接触させることができることにより、より多くの芳香成分を気流に含ませ、芳香成分の濃度を向上させることができる。
【００７９】
面状体は、枠体に支持されて、空気通路に着脱可能であることにより、面状体の設置が容易であり、及び、面状体が汚れたり破損した場合は、交換が容易である。
【００８０】
揮発性芳香剤は、面状体を構成する多孔質体に浸透されて担持されており、多孔質体の内部を気流が複雑に通過することにより、多孔質体に浸透された揮発性芳香剤との接触頻度を増やし、芳香成分の濃度を向上させて気流に含ませることができる。また、揮発性芳香剤に含まれる芳香成分のみを気流に含ませ、油分を多孔質体に残したままにできるので、空気通路の内部を油滴で汚すことを防ぐことができる。
【００８１】
枠体は、揮発性芳香剤を供給する供給部と、揮発性芳香剤を捕集する受部とを有することにより、液体の揮発性芳香剤は、供給部から滴下により面状体に浸透することができ、面状体が担持できる限界を超えて供給部から揮発性芳香剤が供給された場合は、受部に捕集することができる。
【００８２】
新鮮な揮発性芳香剤を供給部から面状体に滴下することで、芳香剤の経時劣化による香りが変わってしまうことを防止し、均一の香りを保つことができる。また、滴下量を調整することで、気流に含ませる芳香成分の量を調整することができる。
【００８３】
また、揮発性芳香剤を他の香りに交換する場合は、枠体及び面状体を交換することにより、容易に対応することができる。
【００８４】
また、受部に捕集された揮発性芳香剤は、面状体が乾くことで面状体に吸い上げられて再度浸透されることになるので、揮発性芳香剤を無駄なく効率よく消費することができる。
【００８５】
また、液体の揮発性芳香剤に代えて、ジェルシート等の固形の揮発性芳香剤を面状体に直付けすることができ、この場合、供給部及び受部の構成が不要となるので、放香アタッチメントの構造及び、空気通路への設置をさらに容易にすることができる。
【００８６】
また、面状体を、空気通路内の気流を清浄するフィルターの下流側に配置することにより、清浄な気流に芳香成分を含み、香りを一層引き立たせることができる。
【００８７】
本発明は、その本質的特性から逸脱することなく数多くの形式のものとして具体化することができる。よって、上述した実施形態は専ら説明上のものであり、本発明を制限するものではないことは言うまでもない。
【符号の説明】
【００８８】
１、１０１      放香アタッチメント
１０、１１０    枠体
１１、１１ａ、１１ｂ      香料供給部
１１ｃ          蓋
１２            供給孔
１３、１４      側柱
１５            香料受部
１５ａ、１５ｂ  立設部
１６、１１６    空間
１９、１１９    網状体
２０、１２０    面状体
２１、１２１    通風孔
３０、１３０    香料
３１            香料収納容体
３２            香料供給管
４０、１４０    空気通路
４１            清浄フィルター、網
４２            放香アタッチメント設置部
４２ａ、４２ｂ、４２ｃ、４２ｄ      設置部材
４３            噴出口
１１１、１１１ａ、１１１ｂ      上枠
１１３、１１４  側柱
１１５、        下枠
１１５ａ、１１５ｂ  立設部
【図１】
2019211189.tif 000003
【図２】
2019211189.tif 000004
【図３】
2019211189.tif 000005
【図４】
2019211189.tif 000006
【図５】
2019211189.tif 000007
【図６】
2019211189.tif 000008
【図７】
2019211189.tif 000009
【図８】
2019211189.tif 000010
【図９】
2019211189.tif 000011
【図１０】
2019211189.tif 000012